(57)【特許請求の範囲】
【請求項１】
玄関ホール、寝室、トイレ、洗面室、及び浴室を有する住宅であって、
前記寝室と前記浴室との間に、前記トイレと前記洗面室とが、前記トイレが前記寝室側、前記洗面室が前記浴室側になるようにして一列に配置され、
これら寝室、トイレ、洗面室及び浴室において隣り合う部屋同士の間には、ユーザの行き来を可能とする開口部が設けられており、
前記各開口部には、それぞれ開閉体が設けられており、
前記寝室は、前記玄関ホールと隣接しており、
前記寝室には、前記玄関ホールに通じる出入口が設けられており、
前記寝室から前記トイレに通じる前記開口部と、前記寝室から前記玄関ホールに通じる前記出入口とは、互いの幅方向を同方向に向けた状態で隣接配置されており、
前記寝室から前記トイレに通じる前記開口部には第１開閉体が設けられ、
前記寝室から前記玄関ホールに通じる前記出入口には第２開閉体が設けられ、
前記第１開閉体と前記第２開閉体とは一対の引き戸を構成しており、
前記第１開閉体が前記第２開閉体に重なる位置までスライドされると前記開口部が開放され、
前記第２開閉体が前記第１開閉体に重なる位置までスライドされると前記出入口が開放されることを特徴とする住宅。
【請求項２】
前記玄関ホールは、前記トイレと前記洗面室とにそれぞれ隣接しており、
前記トイレには、前記玄関ホールに通じる出入口が設けられ、その出入口には開閉体が設けられ、
前記洗面室には、前記玄関ホールに通じる出入口が設けられ、その出入口には開閉体が設けられていることを特徴とする請求項１に記載の住宅。
【請求項３】
前記寝室には、介護者用のベッドが設置された介護者用の寝室スペースと、要介護者用のベッドが設置された要介護者用の寝室スペースとが設けられており、
前記要介護者用の寝室スペースは、前記トイレと隣接しかつ当該トイレと前記開口部を介して連通されており、
前記介護者用の寝室スペースは、前記要介護者用の寝室スペースを挟んで前記トイレとは反対側に配置されており、
前記要介護者用の寝室スペースと前記介護者用の寝室スペースとの間には、それら両寝室スペースを仕切る可動間仕切が設けられていることを特徴とする請求項１又は２に記載の住宅。
【発明の詳細な説明】
【技術分野】
【０００１】
本発明は、要介護者が屋内移動する際の都合に配慮した住宅に関するものである。
【背景技術】
【０００２】
住宅として、介護が必要な要介護者の都合に配慮した構成を具備する住宅が各種提案されている。例えば特許文献１の住宅では、廊下を挟んで対向する位置に寝室と洗面脱衣室とがそれぞれ配置されるとともに、寝室と洗面脱衣室との間にトイレが配置され、さらに、便器内の着座位置の前後方向とトイレの出入口の出入り方向とが交差するように便器が設置されている。これにより、要介護者にとって寝室と洗面脱衣室及びトイレとの往来が容易となり、さらに要介護者が便器に着座している状態において介護者による介助負担を軽減できるとしている。
【先行技術文献】
【特許文献】
【０００３】
【特許文献１】特開２０１２−２６２６６号公報
【発明の概要】
【発明が解決しようとする課題】
【０００４】
しかしながら、上記従来技術では、例えば要介護者が寝室からトイレに移動する際に、要介護者に対して進行方向の変更が強いられる。また、要介護者がトイレに行くのか、洗面脱衣室に行くのかによって進行方向が異なり、移動時における姿勢の変更等が強いられることが懸念される。特に要介護者が車椅子を利用する場合を想定すると、車椅子の進行方向を何度も変更する必要が生じ、車椅子移動に際して不都合の発生が懸念される。
【０００５】
本発明は、上記事情に鑑みてなされたものであり、要介護者等のユーザがトイレや洗面室、浴室に移動する際の負担軽減を図ることができる住宅を提供することを主たる目的とするものである。
【課題を解決するための手段】
【０００６】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００７】
第１の発明は、
寝室（１４）、トイレ（１５）、洗面室（１６）、及び浴室（１７）を有する住宅（１０）であって、
前記寝室と前記浴室との間に、前記トイレと前記洗面室とが、そのうち一方が前記寝室側、他方が前記浴室側になるようにして一列に配置され、
これら寝室、トイレ、洗面室及び浴室において隣り合う部屋同士の間には、ユーザの行き来を可能とする開口部（４２，４５，４７）が設けられており、
前記各開口部に、それぞれ開閉体（４３，４６，４８）が設けられていることを特徴とする。
【０００８】
上記構成では、寝室に対してトイレ、洗面室及び浴室が一列になるように配置されており、これら各部屋は隣り合う部屋同士が開口部を介して連通されている。したがって、ユーザ（要介護者）が寝室からトイレ、洗面室、浴室のいずれかに移動しようとする場合には、いずれも同じ方向に向けて移動すればよく、移動に際して方向転換を極力少なくすることができる。これにより、トイレや洗面室、浴室を使用する場合のユーザ（要介護者又は介護者）の負担軽減を図ることができる。
【０００９】
第２の発明は、前記寝室と前記浴室との間には、前記トイレが前記寝室側、前記洗面室が前記浴室側になるようにしてこれらトイレと洗面室とが設けられていることを特徴とする。
【００１０】
上記構成では、寝室→トイレ→洗面室→浴室の順にこれら各部屋が一列に並んでいる。この場合、要介護者におけるトイレと洗面室との使用頻度を考えると、トイレの使用頻度の方が洗面室の使用頻度よりも高いと考えられる。さらに言えば、浴室の使用頻度は、トイレや洗面室の使用頻度よりも低いと考えられる。この点、上記の各部屋の並びは使用頻度に則した並びであると言え、ユーザの負担軽減を図る上で好適な構成を実現できる。
【００１１】
第３の発明は、前記寝室、前記トイレ、及び前記洗面室において隣り合う部屋同士の間の前記各開口部に設けられた開閉体は引き戸であって、その引き戸の開放により、車椅子の通過が可能な幅を有する通路が形成されるようになっていることを特徴とする。
【００１２】
上記構成によれば、要介護者が車椅子に乗って移動する場合に部屋同士の間の開口部を容易に通過でき、要介護者にとって好適な構成を実現できる。
【００１３】
第４の発明は、前記寝室、前記トイレ、及び前記洗面室において隣り合う部屋同士の間の前記各開口部を繋ぐようにして、前記トイレ内及び前記洗面室内に、車椅子の移動が可能な直線状の第１移動経路（Ｒ１）が形成されており、その第１移動経路の延びる方向に直交する方向にずれ、かつ該第１移動経路における車椅子の移動に邪魔にならない位置に、前記トイレ内の便器（５１）、及び前記洗面室内の洗面台（５５）が設置されていることを特徴とする。
【００１４】
上記構成によれば、要介護者用が車椅子に乗って移動する場合に、便器や洗面台が邪魔になることなく、これらの前を通過できる。したがって、各々が一列に並ぶトイレ、洗面室及び浴室への移動が容易となる。
【００１５】
第５の発明は、前記寝室、前記トイレ、前記洗面室及び前記浴室がこの順に並べて配置されている構成において、前記トイレ内には、前記第１移動経路の途中からこの第１移動経路に対して斜めとなりかつ前記洗面室内の洗面台に向かう第２移動経路（Ｒ２）が形成され、前記寝室、前記洗面室、前記トイレ及び前記浴室がこの順に並べて配置されている構成において、前記洗面室内には、前記第１移動経路の途中からこの第１移動経路に対して斜めとなりかつ前記トイレ内の便器に向かう第２移動経路（Ｒ２）が形成されるようになっていることを特徴とする。
【００１６】
上記構成によれば、第２移動経路が形成されていることで、トイレを通過して洗面室の洗面台に向かう場合にその洗面台に向けてスムーズな移動が可能となる。又は、洗面室を通過してトイレの便器に向かう場合にその便器に向けてスムーズな移動が可能となる。この場合、トイレ内又は洗面室内には、車椅子の方向調整を可能とするスペースが確保されているとよい。
【００１７】
第６の発明は、前記トイレ及び前記洗面室は、その並び方向に延び互いに対向する一対の壁部の間に設けられており、その一対の壁部の一方の側に、前記寝室、前記トイレ及び前記洗面室において隣り合う部屋同士を連通する前記開口部がそれぞれ設けられ、他方の側に前記トイレ内の便器（５１）、及び前記洗面室内の洗面台（５５）がそれぞれ設置されていることを特徴とする。
【００１８】
上記構成によれば、寝室、トイレ及び洗面室を通じて一直線の動線を設定できる。したがって、要介護者が車椅子に乗って移動する場合に、その移動が直線移動となり、一層好適な構成を実現できる。
【００１９】
第７の発明は、前記トイレには、前記寝室、前記洗面室及び前記浴室以外の屋内空間に通じる出入口（２２）が設けられ、その出入口に開閉体（２５）が設けられるとともに、前記洗面室には、前記寝室、前記トイレ及び前記浴室以外の屋内空間に通じる出入口（２３）が設けられ、その出入口に開閉体（２６）が設けられていることを特徴とする。
【００２０】
上記構成によれば、トイレや洗面室において寝室からのアクセスが容易な開口部以外に、別経路からのアクセスを可能とする出入口が設けられている。この場合、トイレや洗面室の使用に関して要介護者とそれ以外のユーザ（例えば同居家族）とで生活動線を区別することができ、双方のプライバシや快適性を確保できる。
【００２１】
第８の発明は、前記寝室には、要介護者用のベッド（３７）が設置されるとともに、そのベッドと、前記寝室に隣接する前記トイレ又は前記洗面室に通じる前記開口部との間に、車椅子の旋回が可能な旋回スペース（Ｓ１）が設けられていることを特徴とする。
【００２２】
上記構成によれば、寝室内において車椅子の旋回が可能であり、要介護者が車椅子に乗った状態でトイレや洗面室等に移動しようとする場合に、その移動が容易となる構成を実現できる。
【図面の簡単な説明】
【００２３】
【図１】住宅の間取りを示す間取り図。
【図２】住宅内における車椅子の移動経路を示す図。
【図３】移動介助バーの構成を示す斜視図。
【図４】洗面台の構成を示す斜視図。
【図５】腰掛けベンチの構成を示す断面図。
【図６】トイレ及び洗面室に設けた手摺を示す正面図。
【発明を実施するための形態】
【００２４】
以下、本発明を具体化した一実施形態を図面に基づいて説明する。本実施形態では、要介護者と、その要介護者の介護を行う介護者とが同居することを想定した住宅について具体化しており、その住宅の１フロアの間取りを図１に示す。
【００２５】
住宅１０は、玄関１１と、その玄関１１に通じる玄関ホール１２と、ダイニングキッチンが一体化された居室１３（ＬＤＫ）と、寝室１４と、トイレ１５と、洗面室１６と、浴室１７とを有している。玄関ホール１２は、開口部２１を介して居室１３に通じているとともに、開口部２２，２３を介してトイレ１５及び洗面室１６にそれぞれ通じている。これら各開口部２１〜２３には、引き戸又は開き戸からなる開閉体２４，２５，２６が設けられており、その開閉体２４〜２６を開放することで各部屋への出入りが可能となっている。本実施形態では、玄関ホール１２と居室１３との間の開閉体２４を引き戸、玄関ホール１２とトイレ１５との間の開閉体２５を開き戸、玄関ホール１２と洗面室１６との間の開閉体２６を引き戸としている。
【００２６】
また、寝室１４には、介護者用の寝室スペース１４ａと要介護者用の寝室スペース１４ｂとが設けられており、これら両スペース１４ａ，１４ｂは仕切部材２８により２つの空間に仕切られている。仕切部材２８は、両スペース１４ａ，１４ｂを仕切った状態にでき、かつ両スペース１４ａ，１４ｂにおけるユーザの行き来を可能とする構成であれば任意の構成が適用でき、例えばカーテンや可動間仕切（パーティション）、襖などを用いた構成が考えられる。
【００２７】
介護者用の寝室スペース１４ａと要介護者用の寝室スペース１４ｂとは、各々が居室１３に隣接し、かつ要介護者用の寝室スペース１４ｂが玄関側、介護者用の寝室スペース１４ａがその反対側になるように配置して設けられている。寝室１４と居室１３との間の間仕切壁３１には、介護者用の寝室スペース１４ａと居室１３とを連通する開口部３２が設けられており、その開口部３２には開き戸よりなる開閉体３３が設けられている。また、要介護者用の寝室スペース１４ｂと玄関ホール１２との間は、引き戸からなる開閉体３５により仕切られている。開閉体３５をトイレ１５側にスライドさせることで寝室スペース１４ｂと玄関ホール１２との間が開放され、それら両空間の行き来が可能となっている。開閉体３５は、玄関ホール１２の幅とほぼ同様の幅で設けられているが、この構成に代えて、寝室スペース１４ｂと玄関ホール１２との間に設けられる間仕切壁の一部に開口部が設けられ、その開口部に開閉体３５が設けられる構成であってもよい。
【００２８】
本実施形態では、要介護者が車椅子を利用して住宅１０内を移動することを想定し、要介護者の移動が想定される移動経路上に存在する開口部については、その開口部に設けられる開閉体をいずれも引き戸としている。この場合、要介護者にとって車椅子に乗ったままでも開閉体の開閉が容易となっている。なお、引き戸の大きさは、その開放により車椅子が容易に移動できる大きさであればよく、例えば１枚の横幅が１０００ｍｍ以上（〜１５００ｍｍ程度）であるとよい。また、閉め切り時やスライド移動時に生じる音が小さい遮音性の高い引き戸が用いられるとよい。
【００２９】
ちなみに、要介護者用の寝室スペース１４ｂへの出入口として、寝室１４と居室１３との間の間仕切壁３１（寝室スペース１４ｂ側の部分）に開口部を設け、その開口部に開閉体（引き戸）を設ける構成であってもよい。間仕切壁３１に寝室スペース１４ｂの出入口を設ける場合、玄関ホール１２から要介護者用の寝室スペース１４ｂへは直接移動することはできないが、寝室スペース１４ｂの出入口の開閉体、居室１３の出入口の開閉体をいずれも引き戸にすることで、玄関ホール１２から寝室スペース１４ｂへの移動が容易となっている。
【００３０】
要介護者用の寝室スペース１４ｂには、要介護者が利用するベッド３７が設置され、そのベッドサイドには移動介助バー３８が設けられている。移動介助バー３８としては、例えば図３に示すものが考えられる。つまり、移動介助バー３８は、床上に設置されるベース板３８ａと、そのベース板３８ａの上面に立設される手摺部３８ｂとを有して構成されている。この移動介助バー３８は、ベッド３７からの立ち上がりや、衣類（パジャマ、下着等）の着脱時における立位姿勢の保持に利用されるものである。ただし、移動介助バー３８は、車椅子利用レベルより前の軽介助レベル又は自立歩行レベルの身体機能を有する、比較的軽度の要介護者に利用され、車椅子使用レベルの要介護者の場合には、寝室スペース１４ｂ内に設置されないか、又は車椅子の乗り降りに邪魔にならない場所に置かれているとよい。
【００３１】
また、要介護者用の寝室スペース１４ｂ内には、車椅子の旋回が可能な旋回スペースＳ１が確保されている。つまり、寝室スペース１４ｂは、ベッド３７の設置スペース以外に、車椅子の旋回を行う旋回スペースＳ１を有する大きさとなっている。その他に、ベッドサイドには車椅子への移乗を行う移乗スペースが確保されていることが望ましい。旋回スペースＳ１について付言すると、同スペースＳ１は、ベッド３７とトイレ１５との間に設けられている。この旋回スペースＳ１においては、トイレ１５の真横位置（便器の真横位置も含む）での車椅子の旋回が可能となっている。旋回スペースＳ１は、少なくとも１ｍ四方程度の大きさであるとよい。
【００３２】
こうして寝室スペース１４ｂにおいて車椅子の旋回が行われる場合、床材（フローリング材）としては、車椅子のキャスタで傷が付きにくい床材が用いられることが望ましい。具体的には、床材の表面に硬質の被覆層（例えばＥＢコート：電子線照射樹脂塗装）を有する床材が用いられるとよい。
【００３３】
なお、両スペース１４ａ，１４ｂは個別に仕切られることが必須ではなく、仕切部材２８を常時開放させておくことにしたり、仕切部材２８を設けない構成にしたりすることも可能である。
【００３４】
トイレ１５と、洗面室１６と、浴室１７とは、玄関１１の側方において一列に並ぶようにして配置されており、要介護者用の寝室スペース１４ｂに隣接してトイレ１５が設けられ、トイレ１５を挟んで寝室スペース１４ｂの反対側に洗面室１６と浴室１７とが並べて設けられている。なお、洗面室１６は、ユーザが浴室１７で入浴する際に脱衣を行う脱衣室としての役割も有している。
【００３５】
本実施形態では特に、寝室スペース１４ｂとトイレ１５とは開口部４２により連通可能となっており、その開口部４２には引き戸からなる開閉体４３が設けられている。開閉体４３を玄関ホール１２側にスライドさせることで開口部４２が開放され、寝室スペース１４ｂとトイレ１５との行き来が可能となっている。この開閉体４３と、寝室スペース１４ｂと玄関ホール１２との間に設けられる開閉体３５とは直線状に配置され、これら開閉体３５，４３により一対の引き戸が構成されている。本実施形態では、トイレ１５及び洗面室１６の並び方向に延び互いに対向する一対の壁部の間にトイレ１５が設けられており、その一対の壁部の一方から他方までの間が開口部４２となっている。そして、開閉体４３の開放によりトイレ側面について全面開放が可能となっている（ただし、垂れ壁部分を有する場合はこれを除く）。なお、開閉体４３を複数の引き違い戸（例えば３枚以上）により構成し、玄関ホール１２とは反対側にもスライド可能になっていてもよい。
【００３６】
また、トイレ１５と洗面室１６とは開口部４５により連通可能となっており、その開口部４５には引き戸からなる開閉体４６が設けられている。この開閉体４６は、複数の引き違い戸により構成されており、いずれかをスライドさせることで開口部４５が開放され、トイレ１５と洗面室１６との行き来が可能となっている。開閉体４６の引き違い戸は３枚以上であるとよい。例えば引き違い戸を３枚とした場合、洗面室１６の側面の約２／３の開放が可能となっている。また、浴室１７の出入口部に設けられた開口部４７には折戸式の開閉体４８が設けられている。
【００３７】
要するに、上述したとおりトイレ１５には玄関ホール側の出入口として開口部２２（及び開閉体２５）が設けられ、洗面室１６には同じく玄関ホール側の出入口として開口部２３（及び開閉体２６）が設けられているが、これとは別に、トイレ１５及び洗面室１６には、要介護者用の寝室スペース１４ｂに通じる出入口として開口部４２，４５（及び開閉体４３，４６）が設けられている。
【００３８】
寝室１４、トイレ１５、洗面室１６の床部については車椅子が容易に移動できるよう、床面に段差が設けられておらず、いわゆるバリアフリー化がなされている。これは居室１３及び玄関ホール１２についても同様である。
【００３９】
トイレ１５には便器５１が設置されている。また、便器５１の両サイドには、便器５１の着座及び離座の際に用いられる手摺５２が設けられている。手摺５２については周知の構成が適用されればよいため詳細な説明は割愛するが、例えばＬ字状の棒状部材よりなる構成が用いられるとよい。
【００４０】
また、洗面室１６には、車椅子対応型の洗面台５５が設置されている。この洗面台５５としては、例えば図４に示すものが考えられる。つまり、洗面台５５は、その上部に設けられた洗面ボウル５６と、左右両側に設けられた一対の幕板部５７とを有しており、洗面ボウル５６の下方であって左右の幕板部５７の間は車椅子の進入が可能な空間部５８となっている。洗面ボウル５６の高さは、大人のユーザが立った状態で利用することを想定した通常高さよりも低く設定されている（例えば洗面ボウル５６の手前高さが７５０ｍｍ）。また、幕板部５７の手前側は、車椅子とのぶつかりを回避するべく、洗面ボウル５６の手前部分よりも後方に後退した形状となっている。以上により、要介護者は車椅子に乗った状態のまま洗面台５５の利用が可能となっている。なお、左右の幕板部５７の間には棚板（図示略）が着脱可能に取り付けられるようになっているとよく、要介護者が自立歩行レベルである場合には、空間部５８に棚板を取り付けることで収納棚としての利用が可能となっている。
【００４１】
洗面室１６において浴室１７の入り口付近には、脱衣用の腰掛けベンチ６１が取り付けられている。腰掛けベンチ６１としては、例えば図５に示すものが考えられる。つまり、腰掛けベンチ６１は、洗面室１６の壁部Ｗに取り付けられる可動式ベンチ（折り畳み式ベンチ）として構成されている。より具体的には、腰掛けベンチ６１は、ヒンジ部６２により回動可能に支持された板状の尻置き部６３を有しており、ベンチ非使用時には尻置き部６３が壁部Ｗに重なるようにして配置され、ベンチ使用時には尻置き部６３が壁部Ｗから垂直に突き出るようにして配置される。なお、符号６４は、ベンチ使用時に尻置き部６３を引き倒すための取手である。
ちなみに、腰掛けベンチ６１のスペースをより確保するため、開閉体２６を引き戸に変更してもよい。その引き戸は玄関側へ開くように構成することが洗面室１６内のスペース確保のためには望ましい。
【００４２】
また、浴室１７内には洗い場６５と浴槽６６とが設けられている。なお、浴室１７内に脱衣所が設けられている構成であってもよい。
【００４３】
トイレ１５内及び洗面室１６内には、各開口部４２，４５を繋ぐようにして、車椅子の移動が可能な移動経路Ｒ１（図２参照）が形成されている。この場合、トイレ１５内の便器５１、及び洗面室１６内の洗面台５５は、移動経路Ｒ１の延びる方向に直交する方向にずれ、かつ該移動経路Ｒ１における車椅子の移動に邪魔にならない位置に設置されている。
【００４４】
ここで、要介護者以外のユーザ（健康体ユーザ）は、トイレ１５を利用する場合に、玄関ホール１２から開口部２２を介してトイレ１５内に入ることになる。また、要介護者以外のユーザは、洗面室１６を利用する場合に、玄関ホール１２から開口部２３を介して洗面室１６内に入ることになる。
【００４５】
これに対し、要介護者は、要介護者用の寝室スペース１４ｂからトイレ１５や洗面室１６に移動することが多いと考えられ、寝室スペース１４ｂに通じる開口部４２，４５を介してトイレ１５内又は洗面室１６内に入ることになる。この場合、要介護者が車椅子を利用することを想定すると、以下のとおりに動作が行われる。図２には、住宅内における車椅子の移動経路Ｒ１〜Ｒ４を示している。
【００４６】
まず、ベッド３７上において車椅子Ｃをベッドサイドに引き寄せ、その車椅子Ｃに移乗する。次に、車椅子Ｃを旋回スペースＳ１に移動させ、寝室スペース１４ｂ側から開閉体４３を開くとともに、必要に応じて車椅子を旋回させる（向きを変える）。この場合、開閉体４３は引き戸であるため、車椅子に乗ったままでも開放作業が行いやすくなっている。また、トイレ側面について全面開放が可能であるため、便器５１へのアプローチのパターンが広がり、いかなる身体機能のユーザも便器５１への移乗が容易となっている。例えば移動経路Ｒ３として示す経路に沿って、移動経路Ｒ１に対して斜めに車椅子Ｃを移動させるとよい。そして、トイレ１５にて用を足すのであれば、手摺５２を使う等して車椅子Ｃから便器５１に移動し、用便する。
【００４７】
また、要介護者が洗面室１６まで移動するのであれば、トイレ１５側から開閉体４６を開くとともに、移動経路Ｒ１又はＲ２に沿って車椅子Ｃを移動させる。この場合、車椅子Ｃはトイレ１５を横切って移動することになる。換言すれば、トイレ１５内がその先の場所（洗面室１６）に行くためのアクセス通路として使われることになる。またこの場合、要介護者が洗面台５５を利用するのであれば、トイレ１５内を方向調整スペースとして利用しながら洗面台５５に向けて斜めにアプローチするとよい（移動経路Ｒ２）。移動経路Ｒ２は、移動経路Ｒ１の途中からこの移動経路Ｒ１に対して斜めとなる円弧状の経路として形成されるようになっている。なお、最後は車椅子Ｃの前側が洗面台５５の正面を向くとよい。そして、要介護者は、洗面室１６において車椅子Ｃに乗ったまま洗面台５５にて手や顔を洗ったりする。この場合、介護者が付き添っていたとしても、移動の際及び手洗い等の際の介助の負担が大いに軽減されたものとなっている。
【００４８】
さらに、要介護者が浴室１７にて入浴するのであれば、移動経路Ｒ１に沿って車椅子Ｃを移動させる。そして、洗面室１６において腰掛けベンチ６１を使って脱衣及びシャワーチェアへの移乗を行い、その後入浴する。
【００４９】
要介護者が車椅子Ｃに乗って移動する場合だけでなく、介護者の介助によりトイレ１５や洗面室１６等に歩行移動する場合にも、要介護者及び介護者の負担が大いに軽減されるものとなっている。つまり、仮に洗面室１６に移動するにしても、その移動の際に方向転換をしたり、行き先に応じて進路を変えたりすることが極力少なくなっており、要介護者にとっても介護者にとっても負担が軽減される。
【００５０】
なお、要介護者が玄関ホール１２と寝室１４との間で移動する場合には、移動経路Ｒ４に示すように、開閉体３５を開放させることで、玄関ホール１２と寝室１４との一方から他方に直接移動するとよい。
【００５１】
以上詳述した本実施形態によれば、以下の優れた効果が得られる。
【００５２】
寝室１４と浴室１７との間に、トイレ１５が寝室１４側、洗面室１６が浴室１７側になるようにしてトイレ１５と洗面室１６とを一列に配置するとともに、寝室１４、トイレ１５、洗面室１６及び浴室１７において隣り合う部屋同士の間に開口部４２，４５，４７と開閉体４３，４６，４８とを設ける構成とした。かかる構成によれば、ユーザ（要介護者）が寝室１４からトイレ１５、洗面室１６、浴室１７のいずれかに移動しようとする場合には、いずれも同じ方向に向けて移動すればよく、移動に際して方向転換や車椅子の切り返しを極力少なくすることができる。これにより、トイレ１５や洗面室１６、浴室１７を使用する場合のユーザ（要介護者又は介護者）の負担軽減を図ることができる。
【００５３】
また、トイレ１５や洗面室１６をその先の場所への通路、方向転換、または車椅子の切り返しのスペースとして利用できることから、住宅１０における省スペース化を図ることができる。
【００５４】
また、寝室１４→トイレ１５→洗面室１６→浴室１７の順に並ぶ各部屋の配置によれば、使用頻度、すなわちその場所への移動の頻度に応じた間取りを実現でき、要介護者や介護者にとっての使い勝手が向上する。つまり、要介護者におけるトイレ１５、洗面室１６及び浴室１７の使用頻度を考えると、トイレ１５→洗面室１６→浴室１７の順に使用頻度が低くなると考えられる。この点、上記のとおりの間取りにすることで、ユーザ（要介護者又は介護者）の負担軽減を図る上で好適な構成を実現できる。
【００５５】
寝室１４、トイレ１５、及び洗面室１６において隣り合う部屋同士の間の開口部４２，４５に設けられた開閉体４３，４６を引き戸とし、その開閉体４３，４６の開放により、車椅子の通過が可能な幅を有する通路が形成されるようにした。これにより、要介護者が車椅子に乗って移動する場合に部屋同士の間の開閉体４３，４６を容易に通過でき、ユーザにとって好適な構成を実現できる。
【００５６】
トイレ１５内及び洗面室１６内に直線状の移動経路Ｒ１を設定し、その移動経路Ｒ１における車椅子の移動に邪魔にならない位置に、トイレ１５内の便器５１、及び洗面室１６内の洗面台５５を設置した。これにより、要介護者用が車椅子に乗って移動する場合に、その移動が容易となる。
【００５７】
トイレ１５内に、直線状の移動経路Ｒ１の途中からこの移動経路Ｒ１に対して斜めとなりかつ洗面室１６内の洗面台５５に向かう別の移動経路Ｒ２が形成されるようにした。これにより、トイレ１５を通過して洗面台５５に向かう場合にその洗面台５５に向けてスムーズな移動が可能となる。この場合、トイレ１５内が車椅子の方向調整スペースとして利用されることで、円弧状経路に沿った移動が可能となっている。
【００５８】
トイレ１５や洗面室１６において、寝室１４（要介護者用の寝室スペース１４ｂ）からのアクセスが容易な開口部４２，４５以外に、別経路からのアクセスを可能とする出入口、すなわち玄関ホール１２に通じる開口部２２，２３を設ける構成とした（２方向の出入を可能とした）。これにより、トイレ１５や洗面室１６の使用に関して要介護者とそれ以外のユーザ（例えば同居家族）とで生活動線を区別することができ、双方のプライバシや快適性を確保できる。この場合、要介護者とそれ以外のユーザ（例えば同居家族）とで生活の時間帯が異なっていても、要介護者の安眠等を妨げずにトイレ１５や洗面室１６等の使用が可能となっている。
【００５９】
寝室１４において、要介護者用のベッド３７とトイレ１５に通じる開口部４２との間に、車椅子の旋回が可能な旋回スペースＳ１を設けたため、要介護者が車椅子に乗った状態でトイレ１５や洗面室１６等に移動しようとする場合に、その移動が容易となる構成を実現できる。
【００６０】
寝室１４に、介護者用の寝室スペース１４ａと要介護者用の寝室スペース１４ｂとを設け、その間を仕切部材２８により出入り可能に仕切る構成とした。これにより、介護者と要介護者との相互のプライバシが尊重されつつも、要介護者の体調の異変等が生じた場合に介護者がそれに素早く気付くことができるようになっている。
【００６１】
［他の実施形態］
本発明は上記実施形態の記載内容に限定されず、例えば次のように実施されてもよい。
【００６２】
・上記実施形態では、寝室１４と浴室１７との間に、トイレ１５が寝室１４側、洗面室１６が浴室１７側になるようにしてトイレ１５と洗面室１６とを並べて設けたが、これを変更し、洗面室１６が寝室１４側、トイレ１５が浴室１７側になるようにしてトイレ１５と洗面室１６とを並べて設ける構成としてもよい（図１においてトイレ１５と洗面室１６とを入れ替えた構成）。
【００６３】
かかる構成において、洗面室１６ｂ内に、直線状の移動経路Ｒ１の途中からこの移動経路Ｒ１に対して斜めとなりかつトイレ１５内の便器５１に向かう別の移動経路Ｒ２が形成されるようになっているとよい。これにより、洗面室１６を通過して便器５１に向かう場合にその便器５１に向けてスムーズな移動が可能となる。この場合、洗面室１６内が車椅子の方向調整スペースとして利用されることで、円弧状経路に沿った移動が可能となっている。
【００６４】
・上記実施形態では、トイレ１５を玄関ホール１２に隣接して設け、そのトイレ１５に、寝室１４及び洗面室１６以外の屋内空間に通じる出入口として、すなわち要介護者以外のユーザ用の出入口として玄関ホール１２に通じる開口部２２を設けたが、これを変更してもよい。例えば、トイレ１５を居室１３や廊下（図示略）に隣接して設け、要介護者以外のユーザ用の出入口を、居室１３や廊下に通じる開口部として設けてもよい。洗面室１６についても同様である。
【００６５】
・上記実施形態では、トイレ１５及び洗面室１６の並び方向に延び互いに対向する一対の壁部の一方から他方までの間を開口部４２，４５としたが、これを以下のように変更してもよい。すなわち、寝室スペース１４ｂとトイレ１５との間に間仕切壁を設け、その間仕切壁の一部に開口部４２を設ける構成としてもよい。また、トイレ１５と洗面室１６との間に間仕切壁を設け、その間仕切壁の一部に開口部４５を設ける構成としてもよい。かかる構成では、上記一対の壁部においてその一方の壁部の側に寄せて開口部４２，４５をそれぞれ設け、他方の壁部の側に寄せてトイレ１５内の便器５１、及び洗面室１６内の洗面台５５をそれぞれ設置するとよい。
【００６６】
・トイレ１５及び洗面室１６に、トイレ１５、洗面室１６及び浴室１７が一列に並ぶ方向に延びる手摺を設ける構成としてもよい。具体的には、図６に示すように、トイレ１５及び洗面室１６の屋内側の面に手摺７１ａ〜７１ｄを設ける構成とする。この場合、トイレ１５の壁面に手摺７１ａを、トイレ１５の開閉体２５に手摺７１ｂを、洗面室１６の開閉体２６に手摺７１ｃを、洗面室１６の壁面に手摺７１ｄをそれぞれ設け、これら各手摺７１ａ〜７１ｄの高さ位置を同一にして、一列に並べるようにして構成する。これにより、要介護者がトイレ１５や洗面室１６、浴室１７に車椅子無しで移動しようとする場合に、手摺７１ａ〜７１ｄを伝っての移動を行うことができ、その移動の補助が可能となる。
【００６７】
・本発明が適用される住宅は、タイプを問わず、戸建て住宅以外に多層階の集合住宅であってもよい。
【符号の説明】
【００６８】
１０…住宅、１４…寝室、１５…トイレ、１６…洗面室、１７…浴室、２２，２３…開口部（出入口）、２５，２６…開閉体、３７…ベッド、４２…開口部、４３…開閉体、４５…開口部、４６…開閉体、４７…開口部、４８…開閉体、５１…便器、５５…洗面台、Ｓ１…旋回スペース、Ｒ１…移動経路（第１移動経路）、Ｒ２…移動経路（第２移動経路）。
【図１】
0005940494.tif 000002
【図２】
0005940494.tif 000003
【図３】
0005940494.tif 000004
【図４】
0005940494.tif 000005
【図５】
0005940494.tif 000006
【図６】
0005940494.tif 000007